(57)【要約】【課題】電子スリップを書籍に容易に着脱、固定できるようにする。【解決手段】基板と、当該基板の一部又は全部を覆うカバーとを備え、これら基板とカバーでシート状部材を挟んで当該シート状部材に取り付けられる電子スリップであって、前記基板とカバーが互いに結合されると共に、当該基板又はカバーの外側面、内側面又は内部に、情報管理を行うデータキャリアが取り付けられ、前記基板又はカバーの一方又は両方に、これら基板とカバーとを互いに簡易に着脱させる再剥離型粘着剤を設けた。電子スリップには整理用孔を備えた。書籍の在庫状況を管理する書籍管理システムに前記電子スリップを用いた。【選択図】図１
2009064155.tif 000002
【特許請求の範囲】
【請求項１】
基板と、当該基板の一部又は全部を覆うカバーとを備え、これら基板とカバーでシート状部材を挟んで当該シート状部材に取り付けられる電子スリップであって、
前記基板とカバーが互いに結合されると共に、当該基板又はカバーの外側面、内側面又は内部に、情報管理を行うデータキャリアが設けられ、
前記基板又はカバーの一方又は両方に、これら基板とカバーとを互いに簡易に着脱させる簡易着脱手段を設けたことを特徴とする電子スリップ。
【請求項２】
請求項１に記載の電子スリップにおいて、
前記簡易着脱手段が、再剥離型粘着剤であることを特徴とする電子スリップ。
【請求項３】
請求項１または２に記載の電子スリップにおいて、
整理用孔を備えたことを特徴とする電子スリップ。
【請求項４】
請求項１ないし３のいずれか1項に記載の電子スリップにおいて、
少なくとも前記基板がフィルム基材で構成されたことを特徴とする電子スリップ。
【請求項５】
店内に位置する書籍に挿入され、当該書籍の売却時に抜き取って保管される各電子スリップに、それぞれアクセスして書籍の在庫状況を管理する書籍管理システムにおいて、
入荷書籍データを記憶する手段と、増減した書籍を認識する手段と、売却した書籍データを記憶する手段と、入出書籍を特定する手段とを有する書籍管理装置に使用される前記電子スリップとして、請求項１乃至４のいずれか１項に記載の電子スリップを用いたことを特徴とする書籍管理システム。
【発明の詳細な説明】
【技術分野】
【０００１】
本発明は、書籍等に挟んで、その書籍に関する情報を記録し、適宜書き換えて在庫管理、販売管理等を行う電子スリップ及び当該電子スリップを用いた書籍管理システムに関するものである。
【背景技術】
【０００２】
書籍に使用される一般的なスリップは短冊状の紙片で構成されている。このようなスリップの一面側に、書名、出版社名等の書籍に関する種々の情報が記載されている。また、商品コードが記入されている場合もある。このようなスリップは、対象となる書籍の任意のページに挟まれている。
【０００３】
このような紙のスリップの場合は、スリップに記載された情報を確認するために各書籍から１枚ずつスリップを抜き取る必要があり、また新たな情報を書き込むこともできないため、管理業務が煩雑になる。このため、近年ＩＣタグを用いた電子スリップが普及してきている。
【０００４】
書籍の在庫管理等のための情報を書き込んで、適宜書き換えて、繰り返し使用できるＩＣタグを、スリップ伝票型のホルダーに装着して書籍に挿入していた。
【０００５】
情報の読み取りや書き込みは、ＩＣタグのリーダーライターで一度に行われる。即ち、複数の書籍のスリップのＩＣタグに対して、一度に情報を読み取り、また必要に応じて書き込まれる。
【０００６】
このような電子スリップの場合、ホルダーが書籍に挿入されているだけで、特に固定されていないため、読者が書店内で書籍を閲覧する際に、ホルダーが書籍から脱落してしまうことがある。このため、棚卸しの際に、書籍の管理情報が読み取れないという現象が多く見られた。そして、このような脱落の問題を解消するために、特許文献１，２に記載のようなスリップが提案されている。
【０００７】
この特許文献１，２に記載のスリップは、再剥離型粘着剤で書籍に貼ったり剥がしたりできるようにしたラベル型のスリップである。
【０００８】
このラベル型のスリップを書籍に貼って管理し、販売等によって管理不要となった時点でスリップを剥がして保存し、再利用する。
【特許文献１】特開平１０−１０５０５９号公報
【特許文献２】特開平１０−１０５６１８号公報
【発明の開示】
【発明が解決しようとする課題】
【０００９】
上述した特許文献に記載のスリップでは、書籍から抜け落ちることはないが、剥がした後の保存が容易でない。即ち、スリップを書籍から剥がした後、そのまま重ねると、むき出しの再剥離型粘着剤によって隣同士のスリップがくっついてしまう。このため、再剥離型粘着剤を剥離紙で覆う必要があり、再利用に適したものではなかった。
【００１０】
本発明は、以上の点に鑑みてなされたものであり、書籍等に装着しやすく、脱落しにくく、回収しやすく、回収後の保管が容易な電子スリップ及び当該電子スリップを用いた書籍管理システムを提供することを目的とする。
【課題を解決するための手段】
【００１１】
かかる課題を解決するために、請求項１の本発明の電子スリップは、基板と、当該基板の一部又は全部を覆うカバーとを備え、これら基板とカバーでシート状部材を挟んで当該シート状部材に取り付けられる電子スリップであって、前記基板とカバーが互いに結合されると共に、当該基板又はカバーの外側面、内側面又は内部に、情報管理を行うデータキャリアが設けられ、前記基板又はカバーの一方又は両方に、これら基板とカバーとを互いに簡易に着脱させる簡易着脱手段を設けたことを特徴とする。
【００１２】
前記構成により、基板とカバーとで書籍のページ等のシート状部材を挟んで奥まで挿入する。この状態で、データキャリアに対して、外部のリーダー・ライタで情報を書き込み、書き換え又は読み出す。
【００１３】
前記簡易着脱手段は、再剥離型粘着剤であることが望ましい。電子スリップには整理用孔を備えることが望ましい。少なくとも前記基板はフィルム基材で構成されることが望ましい。
【００１４】
また、店内に位置する書籍に挿入され、当該書籍の売却時に抜き取って保管される各電子スリップに、それぞれアクセスして書籍の在庫状況を管理する書籍管理システムにおいて、書籍管理装置に使用される前記電子スリップとして、前記電子スリップを用いることが望ましい。
【発明の効果】
【００１５】
電子スリップの基板とカバーとで書籍のページ等のシート状部材を挟んで奥まで挿入するため、電子スリップを書籍等に容易に挿入することができるようになる。
【００１６】
また、簡易着脱手段によって電子スリップをシート状部材に容易に固定されることができると共に、容易に取り外すことができるようになる。
【００１７】
さらに、書籍管理装置に前記電子スリップを用いることで、店内等の全ての書籍を効率的に管理することができるようになる。
【発明を実施するための最良の形態】
【００１８】
以下、本発明の実施形態について説明する。本実施形態では、電子スリップと書籍管理システムとに分けて説明する。
【００１９】
［電子スリップ］
以下、本実施形態に係る電子スリップについて図１〜３を基に説明する。
【００２０】
電子スリップ１は、この電子スリップ１が挿入される書籍に関する情報を書き込み、書き換えると共にその情報を随時読み取って、多数の書籍を管理する際に用いられるスリップである。
【００２１】
電子スリップ１は、ホルダー２と、データキャリア３とから構成されている。
【００２２】
ホルダー２は、従来の紙のスリップと同じ矩形状に形成されている。ホルダー２の形状としては、これに限らず、円形、楕円形、三角形、四角形等の様々な形状とすることができる。ホルダー２は、基板４と、この基板４を覆うカバー５とから構成されている。ホルダー２は、これら基板４とカバー５とでシート状部材（例えば図６の書籍のページ７）を挟んで書籍等に取り付けられる。
【００２３】
図１、図２において基板４は長方形状に形成されている。基板４の内側面（カバー５側の面）には、簡易着脱手段としての再剥離粘着層６が形成されている。なお、簡易着脱手段としては、再剥離粘着層に限らず、磁石等を用いても良い。磁石を用いる場合には、基板４とカバー５の両方に設ける必要があるが、基板４又はカバー５の内側面あるいは外側面のどちらに設けても良い。再剥離粘着層を用いる場合には、基板４又はカバー５の少なくとも一方の内側面に設ける必要があるが、両方の内側面に設けても良い。簡易着脱手段の形状や大きさ、基板４又はカバー５の平面内における設置場所は、容易に脱落しなければ特に限定されるものではなく、任意の形状や大きさ、設置場所を適宜選択すれば良い。
【００２４】
再剥離粘着層６は、基板４の先端側半分（図１中の下端側半分）に設けられている。再剥離粘着層６は、再剥離型の粘着剤よりなる。具体的には、再剥離粘着層６の粘着力は、書籍のページ７に接着した電子スリップ１を剥離する際、書籍のページ７が破れることなく、かつ粘着剤が書籍のページ７に残ることなく、簡単に剥がれる程度に設定される。さらに、基板４とカバー５とで書籍のページ７を挟んだ状態で、書籍のページ７から再剥離粘着層６がずれない程度の粘着力に設定されている。再剥離粘着層６としては具体的には、アクリル系、ゴム系、シリコーン系、ウレタン系等の公知の粘着剤を用いることができる。
【００２５】
カバー５は、基板４の再剥離粘着層６を覆う板材である。カバー５は、その一部が基板４と互いに結合されている。具体的には、基板４とカバー５とは１枚の長い帯状の板材である支持体で一体的に形成される。この支持体が適宜位置（本実施形態では中央部）で折り曲げられることで、その一方が基板４となり、他方がカバー５となっている。支持体の折り曲げ部８には、整理用孔９が設けられている。この整理用孔９は、必要により設ければ良いもので、電子スリップ１を整理棒(図示せず)等に通して保管するための孔である。折り曲げ部８は、必要により設ければ良いもので、帯状の支持体を超音波溶着等によって互いに接着されている。これにより、基板４とカバー５とが互いに接着する方向に常に付勢されている。また、カバー５としては、透明又は半透明の板材を用いても良い。基板４もカバー５と共に透明又は半透明の板材を用いても良い。
【００２６】
データキャリア３は、電子スリップ１が挿入される書籍に関する情報を記録するための電子デバイスである。データキャリア３は、後述する書籍管理システム２１のタグリーダー・ライタ２３によって、書籍に関する情報が適宜、書き込まれ、又は書き換えられると共にその情報を随時読み取られるようになっている。データキャリア３は、アンテナ回路及びＩＣチップを備えた既存のデータキャリアをそのまま用いることができる。
【００２７】
アンテナ回路は、銅箔をコイル状にエッチングしたり、銀ペースト等の導電性インクを印刷したりしてコイル状に形成する。
【００２８】
図１，３においては、データキャリア３はカバー５の内側面に設けられているが、これに限らず、基板４又はカバー５の内側面あるいは外側面のどちらに設けても良い。基板４又はカバー５にポケットを設け、このポケットにデータキャリアを挿入しても良い。データキャリア３は、１つに限らず、複数設けても良い。また、形状や大きさ、基板４又はカバー５の平面内における設置場所は、特に限定されるものではなく、任意の形状や大きさ、設置場所を適宜選択すれば良い。
【００２９】
以下に、電子スリップ１のデータキャリア３の具体例について図４，５を基に説明する。図４，５はそれぞれ異なるデータキャリア３の構成例として説明する。
【００３０】
図４のデータキャリア３は、支持体１１と、接着剤１２と、電気回路（アンテナ回路）１３と、ＩＣチップ１４と、粘着剤１５と、表面材１６とから構成されている。
【００３１】
支持体１１に、接着剤１２を介して電気回路（アンテナ回路）１３が取り付けられている。このアンテナ回路１３にＩＣチップ１４が取り付けられ、粘着剤１５を介して表面材１６が取り付けられている。表面材１６の表面には、印刷・印字受容層や、書いたり消したりすることが可能な可逆性記録層、具体的にはロイコ染料を利用した可逆性感熱記録層などを設けて、定価等の文字情報やマーク等を書き込んだり、書き換えたりしても良い。
【００３２】
また、図５のデータキャリア３は、支持体１１と、粘着剤１５と、ＩＣチップ１４と、アンテナ回路１３と、接着剤１２と、基材１７とから構成されている。
【００３３】
基材１７はアンテナ回路１３をコイル状に作成するための支持基材としての役割を担っており、図４におけるデータキャリア３の支持体１１の役割の一部と同じ役割を担う。
【００３４】
前記支持体１１、表面材１６、基材１７としては、上質紙やコート紙等の紙基材、ポリエチレンテレフタレート、ポリプロピレン、ポリエチレン、ポリ塩化ビニル、ポリイミド、ポリカーボネート等のフィルム基材等を用いることができる。この中ではポリエチレンテレフタレートが最も好ましい。これらの厚みは特に限定されるものではないが、５〜３００μｍが好ましく、１０〜１５０μｍがより好ましい。５μｍ未満だと、薄いために製造工程時にしわが入り易くなり、加工適性に劣る場合がある。３００μｍを超えると、支持体１１に用いた時には折り曲げにくくなり、表面材１６、基材１７に用いた時には所望の大きさに切断しにくくなる場合がある。
【００３５】
これら支持体１１等は、隠蔽性を有するものが好ましい。これにより、内部のデータキャリア３や再剥離粘着層６が外部から見えず、通常のスリップと変わらない外観にできる。さらに、表面に印字適性があるものが好ましい。この印字適性には、文字だけでなくバーコード等を含む。これにより、書籍の値段や種々の情報、バーコード等を基板４又はカバー５の外側面に記載することができる。
【００３６】
粘着剤１５としては、アクリル系、ゴム系、シリコーン系、ウレタン系等の公知の粘着剤を用いることができる。接着剤１２としては、アクリル系、ゴム系、シリコーン系、ウレタン系、ポリエステル系等の公知の接着剤を用いることができる。
【００３７】
粘着剤１５は、図４においては支持体１１を支持基材として作成したアンテナ回路１３にＩＣチップ１４を実装したものを保護するための表面基材１６を積層するためのものであり、図５においては基材１７を支持基材として作成したアンテナ回路１３にＩＣチップ１４を実装したものを支持体１１に積層するためのものである。
【００３８】
再剥離粘着層６には、適宜剥離紙を貼付してもよい。この剥離紙としては、上質紙、コート紙、ポリエチレンラミネート紙等の紙基材と、ポリエチレンテレフタレート、ポリプロピレン、ポリエチレン、ポリ塩化ビニル、ポリカーボネート、ポリイミド等のフィルム基材を用いることができる。必要により、シリコーン系、フッ素系、長鎖アルキル系等の剥離剤を塗布することができる。
【００３９】
基材１７の表面には、印刷・印字受容層や、書いたり消したりすることが可能な可逆性記録層、具体的にはロイコ染料を利用した可逆性感熱記録層などを設けて、定価等の文字情報やマーク等を書き込んだり、書き換えたりしても良い。
【００４０】
［動作］
以上のように構成された電子スリップ１は次のようにして書籍に着脱される。図６に基づいて説明する。
【００４１】
電子スリップ１を書籍に挿入する際は、電子スリップ１のホルダー２のカバー５を開いて基板４から離し、これら基板４とカバー５との間に書籍のページ７を挟み込む。カバー５を開いた状態で押し込んで、基板４とカバー５の奥まで書籍のページ７を挿入する。再剥離粘着層６が書籍のページ７面に接着して電子スリップ１がページ７に固定され、電子スリップ１の抜け落ちを防止する。
【００４２】
これにより、書籍を開いてページ７をめくっても、電子スリップ１がページ７から抜け落ちることがなく、書籍に挿入された状態が維持される。
【００４３】
レジで電子スリップ１を回収時は、電子スリップ１を書籍から抜き取る。このときはまず、カバー５と基板４で挟んでいるページ７からカバー５を手で開いて、基板４の再剥離粘着層６が接着しているページ７面から再剥離粘着層６と共に基板４を剥がす。再剥離粘着層６に再剥離型の粘着剤を用いているので、容易に手で剥がすことができる。この状態で電子スリップ１を書籍から抜き取る。抜き取った後、カバー５によって閉じて、再剥離粘着層６を覆う。
【００４４】
抜き取った電子スリップ１は、その整理用孔９を整理棒に挿入して保管する。このとき、再剥離粘着層６はカバー５で覆われるので、隣同士の電子スリップ１同士がくっついてしまうことがなく、整理できる。
【００４５】
［効果］
以上のように、電子スリップ１の基板４とカバー５とで書籍のページ７を挟んで押し込むだけで、電子スリップ１を書籍に容易に挿入することができる。
【００４６】
電子スリップ１のホルダー２に再剥離粘着層６を設けたので、この再剥離粘着層６によって電子スリップ１が書籍に確実に固定され、脱落することがなくなる。書籍を開いてページ７をめくっても、電子スリップ１はページ７に固定され、書籍から脱落することがなくなる。
【００４７】
ホルダー２を、従来の紙のスリップと同様に１つの平面を折り曲げ可能な構成にしたので、従来のスリップと同じ態様で、書籍にスムーズに装着することができる。
【００４８】
取り外した後の電子スリップ１では、カバー５が基板４の再剥離粘着層６を覆って接着されるため、再剥離粘着層６の露出がなくなり、この再剥離粘着層６が周囲の種々のものに接着するのを防止する。例えば、整理棒に整理用孔９を通されて重ねた状態で保管された電子スリップ１が、隣同士でくっつくことが無くなり、電子スリップ１の取り扱いが簡単になる。電子スリップ１の上部に設けた整理用孔９により、回収後の電子スリップ１が容易に整理することができる。
【００４９】
さらに、電子スリップ１を取り外したら再剥離粘着層６がカバー５で覆われて保護されるため、再剥離粘着層６がクリーンな状態に保たれる。これにより、再剥離粘着層６の性能劣化が軽減され、使用回数を増やすことができる。
【００５０】
また、電子スリップ１を取り外すときは、ホルダー２のカバー５を開いて再剥離粘着層６をページ７面から剥がして、電子スリップ１を書籍から抜き取るだけなので、電子スリップ１を書籍から容易に回収することができる。
【００５１】
抜き取った電子スリップ１は、再剥離粘着層６をカバー５で覆った状態で、整理用孔９を整理棒に挿入して保管するため、簡単に且つきれいに整理することができる。このとき、電子スリップ１は、整理用孔９を整理棒に挿入して整理する以外に、収納箱等にそのまま入れて保管してもよく、この場合も簡単に且つきれいに整理することができる。
【００５２】
［書籍管理システム］
次に、前記電子スリップ１を用いた書籍管理システムについて説明する。この書籍管理システムは、１つの書店内で書籍を仕入れて、陳列して、販売又は返品する際に、多数の書籍を一元的に管理するためのシステムである。即ち、店内に位置する書籍に挿入され、当該書籍の売却時に抜き取って保管される各電子スリップに、それぞれアクセスして書籍の在庫状況を管理する書籍管理システムである。入荷書籍データを記憶する手段、増減した書籍を認識する手段、売却した書籍データを記憶する手段、入出書籍を特定する手段等を有する書籍管理装置に使用される前記電子スリップとして、前記実施形態に係る電子スリップを用いた。
【００５３】
以下、本実施形態に係る書籍管理システムについて図面を参照しながら説明する。
【００５４】
図７は本実施形態の書籍管理システムにおける通信構成を示す説明図であり、図８は書籍管理システムの管理コンピュータの周辺装置の説明図である。図７において、本実施形態の書籍管理システム２１は、管理コンピュータ２２が陳列棚２５上の書籍２６についての各種の管理を実行するものである。なお、図７では、陳列棚２５を１個のみ示しているが、実際上は多数存在する。さらに、書籍２６は店内の陳列棚２５に陳列されるだけでなく、店の保管室の収納棚２５等(図示せず)に収納される場合もある。
【００５５】
管理コンピュータ２２は、書籍２６の販売数や在庫数などの在庫管理を実行するものであり、ＬＡＮ２７等を介して、タグリーダー・ライタ２３より陳列棚２５に陳列されている書籍２６のデータを収集したり、ＬＡＮ２７を介して、タグリーダー・ライタ２３によって陳列棚２５に陳列されている書籍２６に任意のデータを書き込むようにさせたり、書籍２６のデータを管理したりするものである。タグリーダー・ライタ２３は、店内の陳列棚２５に限らず、保管室の収納棚２５等にも取り付けられる。
【００５６】
タグリーダー・ライタ２３は、例えば、陳列棚２５の基台２５Ａの内部空間内に設けられている。このタグリーダー・ライタ２３のアンテナ部分として、アンテナシステム２４−１〜２４−４が設けられており、タグリーダー・ライタ２３は、例えば、管理コンピュータ２２の制御下で、アンテナシステム ２４−１〜２４−４を読取り駆動して陳列棚２５に陳列されている書籍２６のデータを読み取ったり、アンテナシステム ２４−１〜２４−４を書込み駆動して陳列棚２５に陳列されている所定の書籍２６にデータを書き込んだりするものである。
【００５７】
各アンテナシステム２４−１、…、２４−４は、例えば、基台２５Ａの棚板２５ａや中間位置の棚板２５ｂ（例えば、その下面部）にそれぞれ設けられているものであり（なお、天井板２５ｃに設けられていても良い）、書籍２６に取り付けられている前記電子スリップ１との通信を実行するものである。
【００５８】
なお、タグリーダー・ライタとしては、陳列棚に設置するものに限らず、小型で手に持ってデータキャリアにかざす、いわゆるハンディタイプのものでも良い。
【００５９】
管理コンピュータ２２は、図８に示すような周辺装置（内蔵していても良い）を有している。すなわち、管理コンピュータ２２には、操作入力装置（キーボードやマウス装置）３０、ディスプレイ３１、外部記憶装置３２、ＯＣＲ装置３３、データベース装置３４、プリンタ３５、タグリーダー・ライタ３６及び金銭処理機３７などが接続されている。
【００６０】
外部記憶装置３２は、各種の記録媒体のアクセス装置として書き出したものである。例えば、書籍の出荷元から、納品データを記録媒体の形で供給されたときには、外部記憶装置３２を介してそのデータが管理コンピュータ２２に取り込まれることになる。
【００６１】
ＯＣＲ装置３３は、紙帳票上の文字を認識するものである。例えば、書籍の出荷元から、納品データが所定フォーマットの紙帳票で提供された場合に、ＯＣＲ装置３３が、書籍名や書籍コードなどを文字認識して納品データを管理コンピュータ２２に与えるものである。
【００６２】
データベース装置３４は、例えば、ＨＤＤなどの記録装置で構成され、各種のデータベースを記憶している。データベース装置３４は、例えば、陳列棚２５に現存する書籍２６の在庫管理データベース３４ａや、販売した書籍２６のデータベース３４ｂや、発注データベース３４ｃや、会計データベース３４ｄなどを有する。プリンタ３５は、管理コンピュータ２２の指示下で印刷を実行するものであり、例えば、入荷に対する検品結果を印刷する。
【００６３】
タグリーダー・ライタ３６は、販売等のためにユーザから持ち込まれた書籍２６に挿入された電子スリップ１のデータキャリア３に個別にアクセスするものである。陳列棚２５に設けられているタグリーダー・ライタ２３が、多数枚（例えば１００枚）の電子スリップ１のデータキャリア３の同時読取りに対応できるものであるが、タグリーダー・ライタ３６は、１枚の電子スリップ１のデータキャリア３を個別にアクセスできるものを適用しても良い。
【００６４】
金銭処理機３７は、例えば、いわゆるレジスタ装置が該当し、販売等の対価の入金や釣り銭の排出などを行うものである。
【００６５】
次に、前記書籍管理システムの動作について説明する。動作としては、（１）陳列棚２５に現存する書籍２６の現状確認動作、（２）書籍２６の販売等の個別書籍動作、（３）書籍入荷に対する検品動作、（４）出荷元への返品書籍の取りまとめ動作などがあり、管理コンピュータ２２が、内蔵する実行用のプログラムに従って、各種の動作を実行制御する。
【００６６】
まず、陳列棚２５に現存する書籍２６の現状確認動作を説明する。なお、現状確認動作自体には、既存の方法を適用することができる。
【００６７】
例えば、管理コンピュータ２２は、周期的（例えば１時間毎）に、又は、書籍２６に動きがあったとき（例えば、タグリーダー・ライタ２３を利用した個別商品動作の終了時や、常時スタンバイのタグリーダー・ライタ３６から書籍２６の移動の通知があったとき）や店員が起動したときに、図９に示すプログラム２２ａを開始し、全ての陳列棚２５に存在する各書籍２６の電子スリップ１のデータキャリア３からデータ収集してバッファリングし（ステップ１００）、在庫管理データベース３４ａの格納内容と照合し（ステップ１０１）、照合結果を３分類に分類する（ステップ１０２）。すなわち、バッファリングした収集データにも在庫管理データベース３４ａにも存在する書籍２６、バッファリングした収集データには存在するが在庫管理データベース３４ａには存在しない陳列棚２５に新たに追加された商品、バッファリングした収集データには存在しないが在庫管理データベース３４ａには存在する陳列棚２５から新たになくなった商品に分類する。
【００６８】
バッファリングした収集データにはデータが存在するが在庫管理データベース３４ａの格納内容には存在しない書籍２６や、バッファリングした収集データには存在しないが在庫管理データベース３４ａには存在する書籍２６があれば、その正当性の確認処理を実行する（ステップ１０３，１０４）。そして、バッファリングした収集データの内容に、在庫管理データベース３４ａの格納内容を更新させて、一連の処理を終了する（ステップ１０５）。なお、図９では省略しているが、正当性を管理コンピュータ２２の処理で確認できない場合には、異常報知をディスプレイ３１などに行って、店員に確認させた後、バッファリングした収集データの内容、又は、それを作業者が修正した内容に、在庫管理データベース３４ａの格納内容を更新させる。これにより、書籍２６の紛失、盗難等を確認する。
【００６９】
購入者が店員に書籍２６を手渡して購買を申し込んだ場合には、店員は、タグリーダー・ライタ３６から、その書籍２６に貼付されている電子スリップ１のデータキャリア３のデータを読み取らせた後、操作入力装置３０から起動などして、精算処理を実行させる。管理コンピュータ２２は、このような場合には、在庫管理データベース３４ａから該当するデータを消去すると共に、販売した書籍２６のデータベース３４ｂにデータを追加し、また、会計データベース３４ｄにもデータを追加又は修正する。
【００７０】
次に、商品入荷に対する検品動作を説明する。なお、書籍２６の入荷時に電子スリップ１を書籍２６に挿入する。この電子スリップ１の挿入は、上述のようにして行い、短時間で容易に行うことができる。さらに、タグリーダー・ライタ３６でその書籍２６の情報を電子スリップ１のデータキャリア３に書き込む。管理コンピュータ２２側にも記録する。
【００７１】
次いで、各入荷書籍２６を陳列棚２５等に載置し、操作入力装置３０を介して検品動作を起動する。各入荷書籍２６を陳列棚２５に位置させる直前に、陳列棚２５に現存する書籍２６の現状確認動作を実行しておくことが好ましい。
【００７２】
検品動作が起動されると、管理コンピュータ２２は、図１０に示すプログラム２２ｂを開始する。そしてまず、全ての陳列棚２５に存在する書籍２６の電子スリップ１のデータキャリア３からデータを収集してバッファリングし（ステップ２００）、在庫管理データベース３４ａの格納内容と照合し（ステップ２０１）、バッファリングした収集データには存在するが在庫管理データベース３４ａには存在しない陳列棚２５に新たに追加された書籍２６を認識する（ステップ２０２）。
【００７３】
その後、新たに追加された書籍２６のデータを、発注データベース３４ｃのその出荷元に係る格納内容と照合し（ステップ２０３）、新たに追加された書籍２６のデータを分類する（ステップ２０４）。
【００７４】
新たに陳列棚２５等に追加された書籍２６であって発注データベース３４ｃに記載されたもの（第１分類）、新たに陳列棚２５に追加された書籍２６であって発注データベース３４ｃに記載されていないもの（第２分類）、発注データベース３４ｃにだけ記載されているもの（第３分類）に分類する。第１分類の書籍２６は、発注通りに納品された書籍２６であり、第２分類の書籍２６は、発注していないのに納品された書籍２６であり、第３類の書籍２６は、発注されているのに納品されていない書籍２６である。
【００７５】
管理コンピュータ２２は、それぞれの分類の書籍２６を記載したリストをデータベース３４または管理コンピュータ２２内のバッファメモリに格納する。
【００７６】
管理コンピュータ２２は、バッファメモリを検索し、第２分類の書籍２６があれば、そのような第２分類の書籍２６を記述した未発注納品リスト（このリストの情報は後述するようにして消去されるまで継続して格納される）をプリンタ３５によって印刷させると共に（ステップ２０５、２０６）、バッファリングした収集データから未発注納品のデータを消去した後、消去後のバッファリングした収集データの内容に、在庫管理データベース３４ａの格納内容を更新させる（ステップ２０７，２０８）。この更新時においては、入荷書籍２６について所定項目のデータを追加するようにしても良い。例えば、再販制度下の書籍２６であれば、当該納品日から所定期間後の期日を返品日としてデータに含める。また例えば、陳列開始日から販売日までの期間などを管理する場合では、在庫管理データベース３４ａの格納内容を更新させる際に、陳列開始日（測定日）をデータに含める。管理コンピュータ２２は、これらのデータを、在庫管理データベース３４ａに含めるだけでなく、陳列棚２５のタグリーダー・ライタ２３によって、該当する入荷書籍２６の電子スリップ１に書き込むようにさせても良い。
【００７７】
管理コンピュータ２２はバッファメモリを検索し、第３分類の書籍２６があれば、そのような第３分類の書籍２６を記述した納品催促リストをプリンタ３５によって印刷させ（ステップ２０９、２１０）、また、第１分類の書籍２６を記述した納品書籍リストをプリンタ３５によって印刷させる（ステップ２１１）。そして、発注データベース３４ｃを納品されていない書籍２６のデータだけが残るように更新する（ステップ２１２）。場合によっては、この更新により、発注データベース３４ｃの全てのデータが消去されることがあり得る。印刷された納品催促リストは、例えば、発注先にＦＡＸ送信されたりする。なお、納品催促リストの印刷に代え、又は、印刷に加え、納品催促リストのデータを電子メールなどで発注先に送信するようにしても良い。
【００７８】
その後、管理コンピュータ２２は、在庫管理データベース３４ａから、返品期日が本日である書籍２６のデータをリストアップした返品書籍リスト（このリストの情報は後述するようにして消去されるまで、データベース３４又は管理コンピュータ２２内のバッファメモリに継続して格納される）をプリンタ３５によって印刷させ（ステップ２１３）、書籍入荷に対する一連の検品動作を終了する。
【００７９】
店員は、以上のような検品動作が終了すると、未発注納品リストに記述された発注していないのに納品された書籍２６を陳列棚２５から回収したり、返品書籍リストに記述された返品期日が本日である書籍２６を陳列棚２５から回収したりする。この回収時に、未発注納品書籍２６の回収容器と、返品書籍２６の回収容器とを別個のものとしておく。なお、返品書籍リストを、書籍２６の出荷元別に（言い換えると返品先毎に）印刷し、又は、１枚のリストの中で出荷元が区別つくように印刷し、出荷元が区別つくように回収可能としても良い。
【００８０】
店員は、以上のような回収後に、操作入力装置３０から、管理コンピュータ２２に対し、回収終了操作を行う。
【００８１】
このとき、管理コンピュータ２２は、図１１に示すプログラム２２ｃを開始する。そしてまず、管理コンピュータ２２から、全ての陳列棚２５に存在する全ての書籍２６の電子スリップ１のデータキャリア３からデータを収集してバッファリングし（ステップ３００）、在庫管理データベース３４ａの格納内容と照合し（ステップ３０１）、在庫管理データベース３４ａには存在するがバッファリングした収集データには存在しない陳列棚２５から回収された書籍２６を認識する（ステップ３０２）。
【００８２】
その後、管理コンピュータ２２は、上述した未発注納品リストに記述された書籍２６の全てが、認識された回収書籍２６に含まれているか否かを判別する（ステップ３０３）。なお、未発注納品リスト自体が作成されていない場合は、未発注納品リストに記述された書籍２６の全てが認識された回収書籍２６に含まれているとみなして、以下の処理を行う。ステップ３０２で認識された回収書籍２６に含まれていない、未発注納品リストに記述された書籍２６が１個でもあれば（かかる書籍２６は陳列棚２５からの回収がなされていない）、管理コンピュータ２２は、タグリーダー・ライタ２３によって、そのような書籍２６の全てに挿入されている電子スリップ１のデータキャリア３が読み取られることを待ち受け（ステップ３０４）、電子スリップ１のデータキャリア３の読み取りを認識すると、記憶している未発注納品リストのデータを消去すると共に、バッファリングしている収集データからもその書籍データを消去する（ステップ３０５）。タグリーダー・ライタ２３による読み取り動作は、陳列棚２５から回収したことの確認のために実行される。
【００８３】
以上のようにして、未発注納品リストに記述された書籍２６の全てが回収された状態になると（ステップ３０３で肯定結果、又は、ステップ３０４の処理終了）、管理コンピュータ２２は、上述した返品書籍リストに記述された書籍２６の全てが、認識された回収書籍２６に含まれているか否かを判別する（ステップ３０６）。なお、返品書籍リストに返品書籍２６が記述されていない場合は、返品書籍リストに記述された書籍２６の全てが認識された回収書籍２６に含まれているとみなして、以下の処理を行う。ステップ３０２で認識された回収書籍２６に含まれていない、返品書籍リストに記述された書籍２６が１個でもあれば（かかる書籍２６は陳列棚２５からの回収がなされていない）、管理コンピュータ２２は、タグリーダー・ライタ２３によって、そのような書籍２６の全てに挿入されている電子スリップ１のデータキャリア３が読み取られることを待ち受け（ステップ３０７）、データキャリア３の読み取りを認識すると、記憶している返品書籍リストのデータを消去すると共に、バッファリングしている収集データからもその書籍データを消去する（ステップ３０８）。
【００８４】
その後、管理コンピュータ２２は、バッファリングしている収集データに、在庫管理データベース３４ａの格納内容を更新し（ステップ３０９）、図１１に示す一連の処理を終了する。
【００８５】
上記実施形態によれば、在庫管理で利用する陳列棚２５に係るデータキャリア３のアクセス構成を適用し、書籍入荷時や書籍返品時の書籍２６の確認動作をも実行するようにしたので、書籍入荷時、売却時や書籍返品時の店員による商品の確認作業などを簡単なものとすることができる。また、定期的に行われる棚卸しにおいても、普段から全体の管理が行われており、かつ各書籍２６に対して電子スリップ１が抜け落ちることなく確実に挿入されているため、棚卸し作業を短時間で容易に行うことができる。
【００８６】
［変形例］
前記実施形態では、カバー５を基板４の全部を覆うように構成したが、基板４の一部を覆うように構成しても良い。具体的には、基板４の再剥離粘着層６のみを覆う大きさにしても良い。
【００８７】
また、再剥離粘着層６も、前記実施形態のように大きいものでなくても、基板４の一部にだけ設けるようにしても良い。弱い力でページ７面に接着できる程度の広さの再剥離粘着層６であればよい。
【００８８】
これらの場合も、上記実施形態と同様の作用、効果を奏することができる。
【図面の簡単な説明】
【００８９】
【図１】本発明の実施形態に係る電子スリップを示す斜視図である。
【図２】本発明の実施形態に係る電子スリップを開いた状態で示す平面図である。
【図３】本発明の実施形態に係る電子スリップを開いた状態で示す側面図である。
【図４】本発明の実施形態に係る電子スリップのデータキャリアの具体例を示す側面断面図である。
【図５】本発明の実施形態に係る電子スリップのデータキャリアの具体例を示す側面断面図である。
【図６】本発明の実施形態に係る電子スリップの使用例を示す説明図である。
【図７】本発明の実施形態に係る書籍管理システムにおける通信構成を示す説明図である。
【図８】書籍管理システムの管理コンピュータの周辺装置の説明図である。
【図９】現状確認動作プログラムを示すフローチャートである。
【図１０】検品動作プログラムを示すフローチャートである。
【図１１】返品書籍の取りまとめ動作プログラムを示すフローチャートである。
【符号の説明】
【００９０】
１：電子スリップ、２：ホルダー、３：データキャリア、４：基板、５：カバー、６：再剥離粘着層、８：折り曲げ部、９：整理用孔、１１：支持体、１２：接着剤、１３：アンテナ回路、１４：ＩＣチップ、１５:粘着剤、１６：表面材、１７：基材、２１：書籍管理システム、２２：管理コンピュータ、２３：タグリーダー・ライタ、２４：アンテナシステム、２５：陳列棚、２６：書籍、２７：ＬＡＮ、３０：操作入力装置、３１：ディスプレイ、３２：外部記憶装置、３３：ＯＣＲ装置、３４：データベース装置、３５：プリンタ、３６：タグリーダー・ライタ、３７：金銭処理機。
【図１】
2009064155.tif 000003
【図２】
2009064155.tif 000004
【図３】
2009064155.tif 000005
【図４】
2009064155.tif 000006
【図５】
2009064155.tif 000007
【図６】
2009064155.tif 000008
【図７】
2009064155.tif 000009
【図８】
2009064155.tif 000010
【図９】
2009064155.tif 000011
【図１０】
2009064155.tif 000012
【図１１】
2009064155.tif 000013